(57)【要約】【課題】背上げ動作に連動して当初は膝上げ動作を行わせ、背上げ動作途中から今度は膝下げ動作させるようにする。【解決手段】背ボトム２ａ裏面に背上げ機構である背上げリンク３を当接させる一方、膝ボトム２ｃ裏面から足ボトム２ｄ裏面にかけて、膝上げ機構である膝上げリンク４を当接させ、これら背上げリンク３と膝上げリンク４とは、背上げリンク３の背上げ軸５に突設した伝達腕６と、膝上げリンク４の膝上げ軸７に突設した受け腕８とを連結した連動手段９により、連動可能に連結する。前記背上げリンク３と膝上げリンク４とは、長さ寸法において背上げリンク３＞膝上げリンク４とし、ボトム２が平坦状態にあるとき膝上げリンク４は、前記背上げリンク３に比較して若干起立した角度に設定する。【選択図】　　　　　　　図１
2004016635.tif 000002
【特許請求の範囲】
【請求項１】
背上げ機構と膝上げ機構とを有し、これら背上げ機構と膝上げ機構とは、連動手段で連動可能に連結し、前記背上げ機構と膝上げ機構とは、前記背ボトムの傾斜動作中途で膝ボトムが最大傾斜角度に達するようにし、背ボトムの傾斜動作中途から背ボトムの最大傾斜に至るまでに、前記膝ボトムを倒伏復帰させる連動関係としたことを特徴とするベッド等における背・膝ボトム連動動作機構。
【請求項２】
前記背上げ機構は、駆動源からの動力を受けて、背ボトムを傾斜させる背上げリンクを有し、前記膝上げ機構は、前記連動手段を介して駆動源からの動力を受けて、膝ボトムを傾斜させる膝上げリンクを有し、この膝上げリンクは、ボトム平坦状態において、前記背上げリンクに比較して位置角度を大きく設定したことを特徴とする請求項１記載のベッド等における背・膝ボトム連動動作機構。
【請求項３】
背に対応する背ボトムと、腰に対応する腰ボトムと、腰から膝にかけての膝ボトムと、足に対応する足ボトムとに分割して、前記背ボトムと腰ボトム間、前記膝ボトムと足ボトム間にそれぞれ適度な曲率で湾曲する湾曲ボトムを配設して、前記背ボトム裏面に前記背上げリンクを当接させる一方、膝ボトムと足ボトムとの間の湾曲ボトム裏面に、前記膝上げリンクを当接させる構成としたことを特徴とする請求項２記載のベッド等における背・膝ボトム連動動作機構。
【請求項４】
前記連動手段を長さ調節可能な棒状体で構成して、前記背上げ機構と膝上げ機構との連動関係を調節可能としたことを特徴とする請求項１または２記載のベッド等における背・膝ボトム連動動作機構。
【請求項５】
前記膝上げリンクの位置角度を調節可能に構成して、前記背上げ機構と膝上げ機構との連動関係を調節可能としたことを特徴とする請求項２または３記載のベッド等における背・膝ボトム連動動作機構。
【請求項６】
前記膝上げリンクの長さを調節可能に構成して膝上げ最高角度を調節可能としたことを特徴とする請求項２または３、５記載のベッド等における背・膝ボトム連動動作機構。
【発明の詳細な説明】
【０００１】
【発明の属する技術分野】
本発明は、背上げや、膝上げが可能ないわゆるギャッチベッドにおいて、背上げ動作に連動して、膝上げ下げ動作を行わせるようにした、ベッド等における背・膝ボトム連動動作機構に関するものである。
【０００２】
【従来の技術】
近年、背上げや、膝上げが可能ないわゆるギャッチベッドにおいて、（１）背上げ動作に連動させて、膝上げ動作をさせる機構のものがある。また、かかる機構の中には、（２）背上げ動作と膝上げ動作の連動関係を断続させる機構のものもある。
【０００３】
【発明が解決しようとする課題】
しかしながら、上記（１）の機構では、背上げに伴って膝が上がるのみであった。その為、背上げ角度がある角度以上になると、使用者は、背ボトムと膝ボトムとが必要以上に接近して、下半身が挟まれたような強い圧迫を受けることとなる。また背ボトムが上がった状態では、必ず膝ボトムが上がった状態にあるので、使用者をボトム上で移動させてボトム側面側に寄せ、床面に足を着けた状態で座らせることは困難である。
他方、（２）の機構では、ギャッチ時の身体への圧迫を緩和するために、さらには、使用者をボトム上で移動させてボトム側面側に寄せ、床面に足を着けた状態で座らせることができるようにするために、背上げ機構と膝上げ機構との連動結合関係を遮断して対処してきたが、背上げのみの動作に起因する、背ボトムと身体との間に生ずるずれや姿勢が崩れることからくる新たな身体への圧迫をもたらすこととなった。
本発明はこのような背景から提案されたものであって、背上げ動作に連動して当初は膝上げ動作を行わせ、背上げ動作途中から今度は膝下げ動作させるようにして、使用者の身体への圧迫感の緩和を図り、ギャッチ動作を利用して背上げ状態から使用者の体位を容易に変えてボトム側面で床面に足を着けた姿勢にするなど、介助しやすさの向上を図った、ベッド等における背・膝ボトム連動動作機構を提供することを目的とする。
【０００４】
【課題を解決するための手段】
前記した課題を解決するために、本発明では、請求項１において、背上げ機構と膝上げ機構とを有し、これら背上げ機構と膝上げ機構とは、連動手段で連動可能に連結し、前記背上げ機構と膝上げ機構とは、前記背ボトムの傾斜動作中途で膝ボトムが最大傾斜角度に達するようにし、背ボトムの傾斜動作中途から背ボトムの最大傾斜に至るまでは、前記膝ボトムを倒伏復帰させる連動関係としたベッド等における背・膝ボトム連動動作機構を提案する。
また本発明では、請求項２において、前記背上げ機構は、駆動源からの動力を受けて、背ボトムを傾斜させる背上げリンクを有し、前記膝上げ機構は、前記連動手段を介して駆動源からの動力を受けて、膝ボトムを傾斜させる膝上げリンクを有し、この膝上げリンクは、ボトム平坦状態において、前記背上げリンクに比較して位置角度を大きく設定したベッド等における背・膝ボトム連動動作機構を提案する。
また本発明では、請求項３において、背に対応する背ボトムと、腰に対応する腰ボトムと、腰から膝にかけての膝ボトムと、足に対応する足ボトムとに分割して、前記背ボトムと腰ボトム間、前記膝ボトムと足ボトム間にそれぞれ適度な曲率で湾曲する湾曲ボトムを配設して、前記背ボトム裏面に前記背上げリンクを当接させる一方、膝ボトムと足ボトムとの間の湾曲ボトム裏面に、前記膝上げリンクを当接させる構成としたベッド等における背・膝ボトム連動動作機構を提案する。
また本発明では、請求項４において、前記連動手段を長さ調節可能な棒状体で構成して、前記背上げ機構と膝上げ機構との連動関係を調節可能としたベッド等における背・膝ボトム連動動作機構を提案する。
また本発明では、請求項５において、前記膝上げリンクの位置角度を調節可能に構成して、前記背上げ機構と膝上げ機構との連動関係を調節可能としたベッド等における背・膝ボトム連動動作機構を提案する。
さらに本発明では、請求項６において、前記膝上げリンクの長さを調節可能に構成して膝上げ最高角度を調節可能としたベッド等における背・膝ボトム連動動作機構を提案する。
【０００５】
請求項１によれば、背上げ機構を作動して背に対応する背ボトムの傾斜動作に伴い、背ボトム傾斜動作当初は連動手段を介して膝上げ機構を連動して膝ボトムを傾斜させる。前記背ボトムの傾斜動作中途で前記膝ボトムは最大傾斜状態となり、そのまま背上げ機構を作動して背ボトムの傾斜動作を続行させると、連動手段を介して膝上げ機構を連動させることで、今度は前記膝ボトムは、逆に平坦に倒伏復帰していく。
【０００６】
請求項２によれば、駆動源からの動力を受けて、背上げリンクにより背ボトムを傾斜させていくと、前記連動手段を介して駆動源からの動力を受けて、膝上げリンクは、背上げリンクに比較して動作が見かけ上先行し、膝上げリンク先端は背上げ動作途中で先に最高位置に達し、膝ボトムは、背ボトムの傾斜動作中途で最大傾斜角度に達する。
さらに背上げ動作を続行するべく背上げリンクの動作に連動させて膝上げリンクを動作させると今度は、膝上げリンク先端は前記最高位置から低くなっていくので、次第に膝ボトムが倒伏していき、背ボトムの最大傾斜角度に達した時点で、膝ボトムは平坦状態に戻る。
【０００７】
請求項３によれば、駆動源からの動力により背上げリンクを変位させて、背ボトムを押し上げ、傾斜させる一方、連動手段を介して膝上げリンクが変位して膝上げリンク先端を、膝ボトムと足ボトムとの間の湾曲ボトムに沿って当接して膝ボトムおよび足ボトムを傾斜させることができる。膝上げリンクは、背上げリンクに比較して動作が見かけ上先行し、膝上げリンク先端は背上げ動作途中で先に最高位置に達し、膝ボトムは最大に傾斜する。
【０００８】
請求項４によれば、連動手段を長さ調節することで、背上げ機構に対する膝上げ機構の動作開始時期を変えて、背上げ機構と膝上げ機構との連動関係を調節することができる。
【０００９】
請求項５によれば、膝上げリンクの位置角度を調節することで、背上げ機構に対する膝上げ機構の動作開始時期を変えて、背上げ機構と膝上げ機構との連動関係を調節することができる。
【００１０】
請求項６によれば、膝上げリンクの長さを調節することで、膝上げ最高角度を調節することができる。
【００１１】
【発明の実施の態様】
次に、本発明にかかるベッド等における背・膝ボトム連動動作機構について、一つの実施の態様を示し、添付の図面を参照しながら以下説明する。
図１に示すベッド装置１では、ボトム２は、背に対応する背ボトム２ａと、腰に対応する腰ボトム２ｂと、腰から膝にかけての膝ボトム２ｃと、足に対応する足ボトム２ｄとに分割され、前記背ボトム２ａ裏面に背上げ機構である背上げリンク３を当接させる一方、膝ボトム２ｃ裏面から足ボトム２ｄ裏面にかけて、膝上げ機構である膝上げリンク４を当接させている。これら背上げリンク３と膝上げリンク４とは、背上げリンク３の背上げ軸５に突設した伝達腕６と、膝上げリンク４の膝上げ軸７に突設した受け腕８とを連結した連動手段９により、連動可能に連結している。
そして、前記背上げリンク３の背上げ軸５には、周知の駆動源と接続して駆動源からの動力を受ける起動腕１０を突設している。
【００１２】
前記背上げリンク３は、ベッド装置１のメインフレーム１１に回動自在に取り付けた背上げ軸５に基端側を固設する一方、先端側に転動部材１２を設けて、この先端の転動部材１２を背ボトム２ａ裏面に背ボトム２ａ先端寄り側から長手方向ボトム中央側に向かって移動可能に当接させるようにしている。
【００１３】
前記膝上げリンク４は、ベッド装置１のメインフレーム１１に回動自在に取り付けた膝上げ軸７に基端側を固設する一方、先端側に転動部材１２を設けて、この先端の転動部材１２を、膝ボトム２ｃの裏面側に、膝ボトム２ｃ側から足ボトム２ｄ裏面側にかけて当接させるようにしている。
【００１４】
前記背上げ軸５に突設した伝達腕６と膝上げ軸７に突設した受け腕８とは同寸法であり、これら伝達腕６と受け腕８とを連結する連動手段９は、棒状体で構成している。
なお、ベッド装置１におけるボトム２が平坦状態にあるときは、前記伝達腕６と受け腕８とは、鉛直下方に指向し、前記連動手段９は、水平方向に指向している。また、前記背上げ軸５に突設した起動腕１０も鉛直下方に指向している。
そして、前記背上げリンク３と膝上げリンク４とは、長さ寸法において背上げリンク３＞膝上げリンク４とし、前記ボトム２が平坦状態にあるとき膝上げリンク４は、前記背上げリンク３に比較して若干起立した角度としている。
【００１５】
以上のように構成されるベッド等における背・膝ボトム連動動作機構について、次に、連動動作を説明する。
背上げを行うべく、駆動源からの動力を背上げ軸５側の起動腕１０に与えると、その駆動源からの動力は、背上げ軸５側の伝達腕６から連動手段９を介して膝上げ機構である、膝上げリンク４側の膝上げ軸７に突設した受け腕８にも与えられ、背上げリンク３と同時に、膝上げリンク４は変位し始める。
背上げ機構である背上げリンク３は、背上げリンク３先端の転動部材１２を背ボトム２ａ裏面に当接させながら、背ボトム２ａ先端寄りから長手方向ボトム中央側に向かって移動することで、背ボトム２ａを押し上げ、傾斜させることができる。
一方、膝上げ機構である膝上げリンク４は、膝上げリンク４先端の転動部材１２が、膝ボトム２ｃ側から足ボトム２ｄ裏面側にかけて当接して膝ボトム２ｃと足ボトム２ｄとの連結箇所を、上方に屈曲させるように傾斜させることができる。
【００１６】
ところで、背上げリンク３と膝上げリンク４とは、ベッド装置１におけるボトム２が当初のポジションである平坦状態にあるとき（連動動作開始時）、背上げリンク３に比較して膝上げリンク４が若干起立した角度にあるので、膝上げリンク４は、背上げリンク３に比較して動作が見かけ上先行し、しかも、長さ寸法において背上げリンク３＞膝上げリンク４であるので、膝上げリンク４先端は背上げ動作途中で先に最高位置に達し、膝ボトム２ｃおよび足ボトム２ｄは最大角度に傾斜する（図２参照）。
この際、使用者の身体は、傾斜動作が見かけ上先行する、膝ボトム２ｃによって支えられながら、背上げが進行するので、背上げによる身体のずれが軽減され、圧迫感を緩和することができる。
【００１７】
そして、さらに背上げ動作を続けて、背上げリンク３の動作に連動させて膝上げリンク４を動作させていくと、今度は、膝上げリンク４先端が最高位置から足ボトム２ｄ裏面側に沿って当接しつつ移動していくので、次第に膝ボトム２ｃと足ボトム２ｄとの連結箇所が降下して膝ボトム２ｃおよび足ボトム２ｄが倒伏していき、背ボトム２ａの最大傾斜角度に達した時点で、膝ボトム２ｃおよび足ボトム２ｄは平坦状態に戻り、一連の連動動作は終了するのである。
この状態で使用者の身体は、上半身を起こし、下半身を伸ばした状態にあるので、介護者は、ボトム上で難なく使用者の身体の向きを変えてボトム側面側に移動させ、床面に足を着けた状態で座らせることができる。
【００１８】
このように、本発明にかかるベッド等における背・膝ボトム連動動作機構では、背上げ機構である背上げリンク３と膝上げ機構である膝上げリンク４とは、連動動作開始時、すなわちボトム２が当初のポジションである平坦状態にあるとき、背上げリンク３に比較して膝上げリンク４が若干起立した角度で、膝ボトム２ｃに当接するように設定したことで、見かけ上、背上げ動作に先行して膝上げ動作を行わせることができ、使用者の身体への圧迫感の緩和を図り、ギャッチ動作を利用して背上げ状態から使用者の体位を容易に変えてボトム側面で床面に足を着けた姿勢にするなど、介助しやすさを向上させることができる。
【００１９】
本発明にかかる背・膝ボトム連動動作機構は、以下のようなベッド装置に設けることもできる。すなわち、この場合のベッド装置１では、図４に示すようにボトム２は、背に対応する背ボトム２ａと、腰に対応する腰ボトム２ｂと、腰から膝にかけての膝ボトム２ｃと、足に対応する足ボトム２ｄとに分割され、前記背ボトム２ａと腰ボトム２ｂ間に、また前記膝ボトム２ｃと足ボトム２ｄ間にそれぞれ適度な曲率で湾曲するように構成した湾曲ボトム２ｅ，２ｆを配設している。
そして、前記背ボトム２ａ裏面に背上げ機構である背上げリンク３を当接させる一方、膝ボトム２ｃと足ボトム２ｄとの間の湾曲ボトム２ｆ裏面に、膝上げ機構である膝上げリンク４を当接させるようにして（図５参照）、同様に、背上げリンク３の背上げ軸５に突設した起動腕１０に、周知の駆動源を接続して、駆動源を起動して背上げリンク３と共に、膝上げリンク４を連動させて一連の連動動作を行わせるようにしている。
【００２０】
以上のようなベッド装置１においての背・膝ボトム連動動作機構によれば、駆動源からの動力を背上げリンク３の起動腕１０に与えることで、背上げリンク３を変位させて、背ボトム２ａを押し上げ、傾斜させる一方、前記背上げリンク３の起動腕１０から、連動手段９を介して膝上げ機構である、膝上げリンク４の受け腕８に与え、膝上げリンク４が変位して先端の転動部材１２を、膝ボトム２ｃと足ボトム２ｄとの間の湾曲ボトム２ｆに沿って当接して膝ボトム２ｃおよび足ボトム２ｄを傾斜させることができる。
【００２１】
この背・膝ボトム連動動作機構においても、背上げリンク３に比較して膝上げリンク４が若干起立した角度にあるので、膝上げリンク４は、背上げリンク３に比較して動作が見かけ上先行し、膝上げリンク４先端は背上げ動作途中で先に最高位置に達し、膝ボトム２ｃおよび足ボトム２ｄは最大角度に傾斜する（図６参照）。このようにして、傾斜動作が見かけ上先行する膝ボトム２ｃによって使用者の身体を支えられながら、背上げが進行するので、背上げによる使用者の身体のずれが軽減され、圧迫感を緩和することができる。
【００２２】
そして、さらに背上げ動作を続けていくと、今度は、膝上げリンク４先端が最高位置から湾曲ボトム２ｆの足ボトム２ｄ寄り側に向かって当接しつつ移動していくので、次第に膝ボトム２ｃおよび足ボトム２ｄが倒伏していき、背ボトム２ａの最大傾斜角度に達した時点で、膝ボトム２ｃおよび足ボトム２ｄは平坦状態に戻る（図７参照）。
【００２３】
また、本発明にかかる背・膝ボトム連動動作機構は以下のように構成することもできる。
すなわち、図８に示す背・膝ボトム連動動作機構では、連動手段９を長さ調節可能な棒状体で構成して、背上げ機構である背上げリンク３と膝上げ機構である膝上げリンク４との連動動作開始時における膝上げリンク４の位置角度を変え、背ボトム２ａの傾斜開始時と膝ボトム２ｃおよび足ボトム２ｄの傾斜開始時のタイミングを変えるようにしている。
この場合、連動手段９は、中間に周知の調節部材１３により、全長を調節可能に構成している。
【００２４】
以上のような背・膝ボトム連動動作機構によれば、連動手段９を調節部材１３を操作して、長さ調節することで、背上げリンク３と、膝ボトム２ｃおよび足ボトム２ｄとの動作開始時期を変えて、▲１▼背ボトム２ａと膝ボトム２ｃおよび足ボトム２ｄとの同時傾斜開始、▲２▼背ボトム２ａを膝ボトム２ｃおよび足ボトム２ｄより先に傾斜開始、▲３▼膝ボトム２ｃおよび足ボトム２ｄを背ボトム２ａより先に傾斜開始、とさまざな動作パターンで背上げ機構と膝上げ機構との連動動作を行わせることができ、一層、使用者の傷病状況、要望に対応したベッド装置１とすることができる。
【００２５】
また、本発明にかかる背・膝ボトム連動動作機構では、動作開始時における膝上げリンク４の位置角度を調節可能に構成することで、背ボトム２ａの傾斜開始時と膝ボトム２ｃおよび足ボトム２ｄの傾斜開始時のタイミングを変えるようにしてもよい。この場合、前記膝上げリンク４を膝上げ軸７に所定範囲の角度で回動可能に装着して、締付手段１４によって所望の角度位置に膝上げリンク４を固定するようにすることができる。
【００２６】
以上のような背・膝ボトム連動動作機構によっても、さまざな動作パターンで背上げ機構と膝上げ機構との連動動作を行わせることができ、使用者の傷病状況、要望に対応したベッド装置１とすることができる。
【００２７】
さらに、本発明にかかる背・膝ボトム連動動作機構では、適宜な構造により膝上げリンク４の長さを調節可能な構成とすれば、膝上げ最高角度を調節可能とすることができる。
【００２８】
このような背・膝ボトム連動動作機構によれば、膝上げリンク４の長さを長くすれば、膝上げリンク４先端がそれだけ高くすることができ、膝上げ最高角度が大きくなり、一方、膝上げリンク４の長さを短くすれば、膝上げ最高角度を小さくすることができ、使用者に応じた適切な膝上げをもたらすことができる。
【００２９】
【発明の効果】
以上の通り、本発明によれば、見かけ上、膝上げ機構の動作を背上げ機構に比較して先行させる設定とした簡単な機構で、使用者は、背ボトムと膝ボトム間において挟まれたような強い圧迫を受けることはなく、背ボトムが最大傾斜に近い状態では、膝ボトムは、平坦に戻った状態であるので、ボトム上で移動して、ボトム側面側に寄って、床面に足を着けた状態で座ることが簡単にできる。
すなわち、ギャッチ時の身体への圧迫の問題を解決し、ボトム上で容易に移動して、ボトム側面に座るために、背上げ動作と膝上げ動作の連動関係を断って対処する必要はなく、従って背上げのみの動作に起因する、ずれや姿勢が崩れることからくる新たな身体への圧迫が生ずる虞はない。
さらには、連動手段を長さ調節可能としたり、膝上げ機構である膝上げリンクの取付角度を調節可能とすることにより、自在な動作パターンで背上げ機構と膝上げ機構との連動動作を行わせることができ、使用者の傷病状況、要望に対応させることができ、膝上げ機構である膝上げリンクの長さを調節可能な構成としたものにあっては、膝上げ最高角度を調節可能として、使用者に応じた適切な膝上げをもたらすことができる。
【００３０】
【図面の簡単な説明】
【図１】本発明にかかる背・膝ボトム連動動作機構を設けたベッド装置の一つの実施態様を示す、模式的側面図である。
【図２】図１に示す背・膝ボトム連動動作機構における連動動作の説明に供する、要部側面図である。
【図３】図１に示す背・膝ボトム連動動作機構における連動動作の終了時における、要部側面図である。
【図４】本発明にかかる背・膝ボトム連動動作機構を設けたベッド装置の別の実施態様を示す、模式的側面図である。
【図５】図４に示すベッド装置の背・膝ボトム連動動作機構において、連動動作開始時における、膝上げ機構と膝ボトムと湾曲ボトムとの当接関係を示した、要部拡大図である。
【図６】図４に示すベッド装置の背・膝ボトム連動動作機構において、連度動作中途における、膝上げ機構と膝ボトムと湾曲ボトムとの当接関係を示した、要部拡大図である。
【図７】図４に示すベッド装置の背・膝ボトム連動動作機構において、連度動作終了時における、膝上げ機構と膝ボトムと湾曲ボトムとの当接関係を示した、要部拡大図である。
【図８】本発明にかかる背・膝ボトム連動動作機構の別の実施態様を示した、要部側面図である。
【符号の説明】
１　　　　　　　　　　　　　　　ベッド装置
２　　　　　　　　　　　　　　　ボトム
２ａ　　　　　　　　　　　　　　背ボトム
２ｂ　　　　　　　　　　　　　　腰ボトム
２ｃ　　　　　　　　　　　　　　膝ボトム
２ｄ　　　　　　　　　　　　　　足ボトム
２ｅ，２ｆ　　　　　　　　　　　湾曲ボトム
３　　　　　　　　　　　　　　　背上げリンク
４　　　　　　　　　　　　　　　膝上げリンク
５　　　　　　　　　　　　　　　背上げ軸
６　　　　　　　　　　　　　　　伝達腕
７　　　　　　　　　　　　　　　膝上げ軸
８　　　　　　　　　　　　　　　受け腕
９　　　　　　　　　　　　　　　連動手段
１０　　　　　　　　　　　　　　起動腕
１１　　　　　　　　　　　　　　メインフレーム
１２　　　　　　　　　　　　　　転動部材
１３　　　　　　　　　　　　　　調節部材
１４　　　　　　　　　　　　　　締付手段
【図１】
2004016635.tif 000003
【図２】
2004016635.tif 000004
【図３】
2004016635.tif 000005
【図４】
2004016635.tif 000006
【図５】
2004016635.tif 000007
【図６】
2004016635.tif 000008
【図７】
2004016635.tif 000009
【図８】
2004016635.tif 000010